(57)【要約】【課題】鼻から頬にかけて密接して冷気の流入を防止するので防寒性に優れており、必要に応じて口を露出させて飲食、会話や発声、喫煙などが可能であるので、日常の行動及び仕事を円滑に行うことができる実用性に優れた顔用防寒具を提供する。【解決手段】防寒具本体２は、複数枚の不織布口を重ねて形成し、鼻、顎から両側の頬を一体に覆う顔面覆い材３に、柔軟性のある肉厚パット４を内設して構成してある。防寒具本体２の横方向両端にはゴム製の耳掛け部６が設けてある。口が露出するように防寒具本体２には開口部７が形成してある。開口部７は外側から開閉可能な通気性口覆い体８で閉塞するようになっている。【選択図】図１
2010203001.tif 000002
【特許請求の範囲】
【請求項１】
口を中心に鼻、顎から両側の頬を一体に覆う顔面覆い材に、柔軟性のある肉厚パットを設けてなる防寒具本体と、該防寒具本体の横方向両端に設けた耳掛け部と、少なくとも前記口が露出するように前記防寒具本体に形成した開口部と、該開口部を外側から開閉可能に閉塞する通気性口覆い体とから構成してなる顔用防寒具。
【請求項２】
前記肉厚パットは、前記顔面覆い材に取外し可能に設けてあることを特徴とする請求項１記載の顔用防寒具。
【請求項３】
前記通気性口覆い体は、前記開口部の口縁に係止する係合部を有し、中央側には通気部が形成してあることを特徴とする請求項１記載の顔用防寒具。
【請求項４】
前記通気部は、複数のスリット又は細孔からなることを特徴とする請求項３記載の顔用防寒具。
【請求項５】
前記通気性口覆い体は、前記防寒具本体と別体に構成し、連結材によって該防寒具本体に係留してあることを特徴とする請求項１記載の顔用防寒具。
【請求項６】
前記通気性口覆い体は、一側縁を連結部として前記防寒具本体に回動可能に連結してあることを特徴とする請求項１記載の顔用防寒具。
【発明の詳細な説明】
【技術分野】
【０００１】
本発明は、寒冷地において厳しい寒さから顔を防寒し、しかも必要に応じて口を使うこともできるので、屋内外での作業、遊び、スポーツの際に着用して好適な顔用防寒具に関する。
【背景技術】
【０００２】
寒冷地での屋外作業時や、例えば氷上ワカサギ釣り等の遊びの時には顔が冷気に晒されることから、防寒用にマスクを用いることが行われている。しかし、マスクは防寒を本来の目的にするものでないから、防寒効果が十分でないという問題がある。また、帽子に口元覆い布を設けた防寒帽も従来から使用されているが、口が塞がれた状態になるので口を使うことが出来ないし、デザイン的にもあまり良くないという欠点がある。また、例えば、耳を覆う耳あて部２を有するイヤーキャップ１に、鼻あて部３と口あて部４を設けることにより、防寒効果を向上させたものが提案されている（特許文献１）。
【先行技術文献】
【特許文献】
【０００３】
【特許文献１】実開昭６２−１７０７１９号公報（第１頁、第３頁、図１）
【発明の概要】
【発明が解決しようとする課題】
【０００４】
上述した特許文献１に開示されるイヤーキャップは防寒のための鼻あて部３と口あて部４を有するが、この鼻あて部３と口あて部４は具体的には例えば可撓性を有する合成樹脂材で一体形成するものであることから、鼻や頬の高低が相違する着用者の各々の顔に対応できず、鼻と頬の間に隙間が形成されて冷気が流入するために、確実な防寒効果を得られないという欠点がある。また、口を常時覆った状態にあることから口の当る分部が次第に湿気を帯び、外面側は外気温度にまで冷やされてしまう事態になり、冷やされた冷たい空気を吸込むことになるという欠点もある。
【０００５】
また、イヤーキャップには呼吸気を通過させる小孔を形成してあるが、飲食の時には顔から外さなければならないし、口が塞がれて声が籠るために警備員のように明瞭な発音による伝達が求められる職業人が使用するのには適さないという欠点もある。更に、屋外と屋内との間を出入りする場合、屋内に入ると温度が急に上昇する変化から不快感を覚えるため、その都度防寒具を取外したい気持ちになるが、装着の手間を考えると面倒であることから、作業者は我慢して装着しているという問題がある。
【０００６】
本発明は上述した従来技術の問題点や欠点に鑑みなされたもので、口を囲む鼻、顎から両頬にかけて密接することで冷気の流入を防止するので防寒性に優れており、しかも必要に応じて口元を露出させて飲食、会話や発声、喫煙などが可能であるから、日常の行動及び仕事を円滑に行うことができる実用性に優れた顔用防寒具を提供することを目的とする。
【課題を解決するための手段】
【０００７】
上述した課題を解決する本発明を構成する手段は、口を中心に鼻、顎から両側の頬を一体に覆う顔面覆い材に、柔軟性のある肉厚パットを設けてなる防寒具本体と、該防寒具本体の横方向両端に設けた耳掛け部と、少なくとも前記口が露出するように前記防寒具本体に形成した開口部と、該開口部を外側から開閉可能に閉塞する通気性口覆い体とからなる。
【０００８】
そして、前記肉厚パットは、前記顔面覆い材に取外し可能に設ける構成にするとよい。
【０００９】
また、前記通気性口覆い体は、前記開口部の口縁に係止する係合部を有し、中央側には通気部が形成してある構成にするとよい。
【００１０】
また、前記通気部は、複数のスリット又は細孔から構成するとよい。
【００１１】
更に、前記通気性口覆い体は、前記防寒具本体と別体に構成し、連結材によって該防寒具本体に係留する構成にするとよい。
【００１２】
更にまた、前記通気性覆い体は、一側縁を連結部として前記防寒具本体に回動可能に連結した構成にするとよい。
【発明の効果】
【００１３】
本発明は上述の如く構成したから、下記の諸効果を奏する。
（１）防寒具本体は、口を中心に鼻、顎から両頬を覆うと共に、肉厚パットが顔面に密接する構成にしたから、確実に防寒効果を発揮することができ、しかも必要に応じて開口部を開放できるので会話、発声、会話、飲食などを円滑に行うことができる。
（２）肉厚パットは防寒具本体に取外し可能に設けてあり、外気温や作業現場の温度状況に応じてその使用を選択することができるから、不快感を覚えることなく作業を快適に行うことができる。
（３）通気性口覆い体は通気部が形成してあるから、口を冷気に曝すことなく楽に呼吸を行うことができ、しかも開口部を自在に開閉することが可能であるから、必要に応じて取外すことにより食事、会話、警笛を吹く等の動作を円滑に行うことができるし、話し声がこもって第三者が聴き難い事態を解消できる。
（４）通気部はスリット又は細孔により形成してあるから、防寒性を維持しつつ呼吸を楽に行うことができる。
（５）通気性口覆い体は防寒具本体と別体に構成し、連結材によって防寒具本体に係留してあり、飲食等のために外した場合には開口部を完全に開放した状態にできるから、飲食等を容易に行うことができるし、紛失を防止できる。また、通気性口覆い体が地面等に落ちて汚れる事態を確実に防止できる。
（６）通気性口覆い体は一側縁を防寒具本体に回動可能に連結したから、開閉操作を速やかに行うことができるし、通気性口覆い体の紛失を確実に防止することができる。
【図面の簡単な説明】
【００１４】
【図１】図１乃至図９は本発明の第１の実施の形態に係り、図１は顔用防寒具の前側斜視図である。
【図２】顔用防寒具の後側斜視図である。
【図３】顔用防寒具の平面図である。
【図４】顔用防寒具の横断面図である。
【図５】顔用防寒具の中央縦断面図である。
【図６】通気性口覆い体の前側斜視図である。
【図７】通気性口覆い体の後側斜視図である。
【図８】顔用防寒具の着用状態の説明図である。
【図９】通気性口覆い体を外した顔用防寒具の着用状態説明図である。
【図１０】第２の実施の形態に係る顔用防寒具の斜視図である。
【図１１】第３の実施の形態に係る顔用防寒具の分解斜視図である。
【図１２】第４の実施の形態に係る顔用防寒具の使用状態の斜視図である。
【発明を実施するための形態】
【００１５】
以下、本発明の実施の形態を図面に基づき詳述する。図１乃至図９は第１の実施の形態を示す。図において、１は顔用防寒具、２は該顔用防寒具１を構成する防寒具本体を示す。該防寒具本体２は、着用者の顔５１を構成する口５２、鼻５３及び顎５４を含み、上下の幅が鼻５３の上側から顎５４までの中央覆い部２Ａと、該中央覆い部２Ａから両横に伸長して顔５１の両頬５５、５５を覆う頬覆い部２Ｂ、２Ｂとによって横長長方形をなしており、上部側中央は鼻梁５３Ａに沿うように略Ｖ字状の突出部２Ｃが前方に向けて形成してある。
【００１６】
３は上記防寒具本体２を構成する顔面覆い材で、該顔面覆い材３は例えばコットン不織布とポリプロピレン不織布を材料とし、多層に重ねることによって柔軟性を持たせて成形してある。
【００１７】
４は防寒具本体２を構成し、前記顔面覆い体３内に設けたポリウレタン製の肉厚パットを示す。該肉厚パット４は、上下は鼻５３から顎５４にかけて、左右は両頬５５、５５にかけて覆うように略四角形に形成してあり、上部側中央は鼻梁５３Ａに沿うように緩やかな逆Ｖ字状の突出部４Ａに形成してある。そして、該突出部４Ａには細い帯状の芯金５を横向きに設けてあり、肉厚パット４を含んで防寒具本体２が着用者の鼻梁５３Ａに沿って略逆Ｖ字状に変形し、密接するようにしてある。６、６は防寒具本体２の横方向両端に設け、防寒具本体２を顔５１に密接した状態に支持するためのゴム紐からなる耳掛け部である。
【００１８】
かくして、防寒具本体２は、不織布からなる顔面覆い材３と、該顔面覆い材３に内設した軟質合成樹脂、例えばポリウレタン製の肉厚パット４と、一対の耳掛け部６、６とから構成してあり、防寒具本体２は肉厚パット４を有していることで、口５２を中心に鼻５３、顎５４から両頬５５、５５にかけて密接することができる。また、中央上部側の突出部４に芯金５を設けてあり、防寒具本体２は鼻筋５３Ａに沿った形状になって鼻５３から頬５５にかけて隙間が出来ないから、冷気の流入を確実に防止することができる。
【００１９】
７は防寒具本体２の中央覆い部２Ａに形成した開口部を示す。該開口部７は突出部２Ｃの位置で上辺が三角形状に突出し、下側は四角形状の形状からなり、口５２を露出させて発声、飲食、喫煙等のための動作を円滑に行うのに必要な大きさにしてあり、開口部７の両側口縁は段付の係合縁７Ａ、７Ａになっている。なお、本実施の形態において、防寒具本体２の外縁、開口部７の口縁は超音波溶着その他の適宜の溶着手段で縁取りすることにより、柔軟性を保ちつつ形態を保持している。
【００２０】
８は前記開口部７に嵌脱可能に嵌合する通気性口覆い体を示す。該通気性口覆い体８は、前面板８Ａ、該前面板８Ａの下縁から略Ｌ字状に伸長する下面板８Ｂ、前面板８Ａの横幅方向両縁から後方に伸長する側面板８Ｃ、８Ｃ、該各側面板８Ｃの先端から外向きに突出し、開口部７の係合縁７Ａに係脱する係合部８Ｄを、例えばポリウレタンによって一体成形することにより、横断面略冂字状、縦断面略Ｌ字状の上方と後方が開放した形状をなしている。そして、前面板８Ａには複数のスリットからなる通気部８Ｅが設けてある。
【００２１】
９は前記通気性口覆い体８を防寒具本体２に係留する連結材を示す。該連結材９は軟質合成樹脂材により紐状に成形してあり、一端が防寒具本体２に、他端が通気性口覆い体８の側面板８Ｃに結合することによって、開口部７から外した通気性口覆い体８をポケット等に収納する手間が不要であるし、地面に落すことや、紛失する事態を確実に防止することができる。
【００２２】
本実施の形態に係る顔用防寒具１は上述の構成からなり、その使用方法はマスクを装着するのと略同様である。通気性口覆い体８を嵌着して閉塞してある開口部７を口５２に対向させた状態にし、鼻５３、顎５４、頬５５を覆うように防寒具本体２を当て、耳掛け部６、６を耳５６に係合し、芯金５を鼻梁５３Ａに合うように指先で変形させる。
【００２３】
これにより、防寒具本体２の肉厚パット４が、口５２を除いて鼻５３から顎５４、両頬５５、５５にかけて密接した状態になるので、冷気が流入して顔５１が冷やされるのを確実に防止することができる。他方、口５２は肉厚パット４から開放した状態にあるから、話をすることも可能であるし、通気性口覆い体８には通気部８Ｄが形成してあるから、息苦しくなることもなく普通に行動することができる。また、通気性口覆い体８は上方が開放しており、防寒具本体２との間に空隙Ｓが形成されるから呼吸を楽に行うことができ、鼻の息苦しさを覚えることがない。
【００２４】
このように顔５１に顔用防寒具１を装着した状態で、例えば警備員が大きな声で警告を発する事態や警笛を鳴らす事態が生じた時には、通気性口覆い体８を防寒具本体２から外すことで口５２を大きく使うことができるから、明瞭な音声で警告することも、警笛を吹くこともできる。また、休憩時には顔用防寒具１は装着したままの状態で、通気性口覆い体８を防寒具本体２から外して開口部７から口５２を露出させることにより、飲食、喫煙、会話等の動作を顔５１に寒さを感じることなく円滑に行うことができる。
【００２５】
なお、本実施の形態において、開口部７は口５２が露出する程度の大きさと説明したが、口５２と共に鼻５３も露出する大きさにしても良いものである。
【００２６】
また、通気性口覆い体８に設ける通気部８Ｅは、複数のスリットに替えて複数の細孔で構成してもよい。
【００２７】
次に、図１０は第２の実施の形態を示す。なお、本実施の形態及び以下に述べる他の実施の形態において、第１の実施の形態の構成要素と同一の構成要素には同一の符号を付して援用し、その説明を省略する。図において、１１は防寒具本体、１２は該防寒具本体１１を構成する顔面覆い材で、該顔面覆い材１２は第１の実施の形態の顔面覆い材３と同じ構成からなり、開口部１３を設けると共に、上辺に開口するポケット１４を設けてある。１５は該ポケット１４に挿脱可能に挿装する肉厚パットで、該肉厚パット１５は抜き穴１５Ａを形成した略ロ字状をなしている。なお、肉厚パット１５の挿脱は、開口部１３から通気性口覆い体８を外し、ポケット１４の口を指先で押し広げた状態にして行う。
【００２８】
本実施の形態によれば、外気温や作業現場の温度情況に応じて肉厚パット１５を顔面覆い材１２のポケット１４に挿脱することにより、着用時に冷えすぎたり、暑すぎたりすることの無い快適な使用ができる。
【００２９】
図１１は第３の実施の形態を示す。図において、２１は防寒具本体、２２は該防寒具本体２１を構成する顔面覆い材で、該顔面覆い材２２は不織布を多層に重ねて形成してあり、中央に開口部２３が形成してある。２４は該開口部２３と略同形の抜き穴２４Ａを形成した略ロ字状の肉厚パットで、該肉厚パット２４は例えば面状ファスナー２５によって顔面覆い材２２の裏面に着脱可能になっている。
【００３０】
上述の構成からなる本実施の形態によれば、外気温や作業現場の温度情況に応じて肉厚パット２４を顔面覆い材２２に着脱することにより、着用時に冷えすぎたり、暑すぎたりすることの無い快適な使用ができる。
【００３１】
更に、図１２は第４の実施の形態を示す。その特徴とするところは、通気性口覆い体３１の一側縁を防寒具本体２の開口部７の一側縁に連結部３２を介して回動可能に連結したことにある。このように構成することにより、通気性口覆い体３１は防寒具本体２と一体になっているから、開口部７の開閉動作を速やかに行うことができるし、紛失することもない。
【００３２】
なお、通気性口覆い体３１は、第１の実施の形態の通気性口覆い体８と同様に、前面板３１Ａ、該前面板３１Ａの下縁から略Ｌ字状に伸長する下面板３１Ｂ、前面板３１Ａの両縁から後方に伸長する側面板３１Ｃ、３１Ｃ、該各側面板３１Ｃの先端から外向きに突出し、開口部７の係合縁７Ａに係脱する係合部３１Ｄを、例えばポリウレタンによって一体成形することにより、横断面略冂字状、縦断面略Ｌ字状の上方と後方が開放した形状をなしている。そして、前面板３１Ａには複数のスリットからなる通気部３１Ｅが設けてある。
【符号の説明】
【００３３】
１              顔用防寒具
２、１１、２１  防寒具本体
３、１２、２２  顔面覆い材
４、１５、２４  肉厚パット
６              耳掛け部
７              開口部
８、３１        通気性口覆い体
８Ｄ            係合部
８Ｅ            通気部
９              連結材
３２            連結部
【図１】
2010203001.tif 000003
【図２】
2010203001.tif 000004
【図３】
2010203001.tif 000005
【図４】
2010203001.tif 000006
【図５】
2010203001.tif 000007
【図６】
2010203001.tif 000008
【図７】
2010203001.tif 000009
【図８】
2010203001.tif 000010
【図９】
2010203001.tif 000011
【図１０】
2010203001.tif 000012
【図１１】
2010203001.tif 000013
【図１２】
2010203001.tif 000014